(57)【要約】      （修正有）【課題】ユーザにとって簡易な操作が可能な制御端末によって表示装置の制御を可能とする制御システム、制御方法、サーバ及びプログラムを提供する。【解決手段】サーバ４は、制御端末２を識別する制御端末識別情報と表示装置を識別する表示装置識別情報とを関連付けて記憶し、第１オブジェクトが所定の構成で配置された第１画面のデータを制御端末に送信し、第１オブジェクトに対応する第２オブジェクトが所定の構成で配置された第２画面のデータを表示装置３に送信し、制御端末から、第１オブジェクトを識別する情報を含む第１制御要求と制御端末識別情報とを受信し、受信した制御端末識別情報に関連付けて記憶された表示装置識別情報によって識別される表示装置に、第１制御要求によって識別される第１オブジェクトに対応する第２オブジェクトを識別する情報を含む第２制御要求を送信する。【選択図】図１
2020014134.tif 000002
【特許請求の範囲】
【請求項１】
制御端末と表示装置とサーバとを備え、前記制御端末が前記表示装置を制御するための機能を提供する制御システムであって、
前記制御端末は、
第１オブジェクトが所定の構成で配置された第１画面を表示するための第１画面データを前記サーバから受信する端末受信部と、
前記第１画面を表示する端末表示部と、
ユーザによる前記第１オブジェクトを指定する操作を受付ける操作部と、
指定された前記第１オブジェクトを識別する情報を含む第１制御要求を生成する要求生成部と、
前記第１制御要求と前記制御端末を識別する制御端末識別情報とを前記サーバに送信する端末送信部と、を備え、
前記表示装置は、
前記第１オブジェクトに対応する第２オブジェクトが所定の構成で配置された第２画面を表示するための第２画面データと、前記第２オブジェクトを識別する情報を含む第２制御要求とを前記サーバから受信する第１受信部と、
前記第２画面を表示する表示部と、
前記第２制御要求によって識別される前記第２オブジェクトに応じた制御を実行する制御部と、を備え、
前記サーバは、
前記制御端末識別情報と前記表示装置を識別する表示装置識別情報とを関連付けて記憶する記憶部と、
前記第１画面データを前記制御端末に送信し、前記第２画面データを前記表示装置に送信する画面データ送信部と、
前記制御端末から前記第１制御要求と前記制御端末識別情報とを受信し、受信した前記制御端末識別情報に関連付けて記憶された前記表示装置識別情報によって識別される前記表示装置に、前記第１制御要求によって識別される前記第１オブジェクトに対応する前記第２オブジェクトを識別する情報を含む前記第２制御要求を送信する要求処理部と、
を備える、制御システム。
【請求項２】
前記サーバは、
前記表示装置識別情報を前記表示装置から取得する取得部と、
取得した前記表示装置識別情報を含む識別用画像を表示するための識別用画像データを生成し、前記表示装置に送信する画像生成部と、を備え、
前記第１受信部は、前記識別用画像データを受信し、
前記表示部は、受信した前記識別用画像データに基づいて前記識別用画像を表示し、
前記制御端末は、
前記表示装置に表示された前記識別用画像に基づいて前記表示装置識別情報を抽出する抽出部を備え、
前記要求生成部は、抽出された前記表示装置識別情報を含む登録要求を生成し、
前記端末送信部は、生成された前記登録要求と、前記制御端末を識別する前記制御端末識別情報とを前記サーバに送信し、
前記サーバは、
前記制御端末から前記登録要求と前記制御端末識別情報とを受信し、前記登録要求に含まれる前記表示装置識別情報と受信した前記制御端末識別情報とを関連付けて前記記憶部に記憶する登録部を備える、請求項１に記載の制御システム。
【請求項３】
前記登録部は、前記登録要求を受信した時刻から所定時間経過した時刻を有効期限として受信した前記制御端末識別情報に関連付けて前記記憶部に記憶し、
前記要求処理部は、前記第１制御要求を受信した時刻が受信した前記制御端末識別情報に関連付けて記憶された有効期限を経過していない場合に限り、前記第２制御要求を送信する、請求項２に記載の制御システム。
【請求項４】
前記表示装置は、
複数の画像データと、画面上に所定の様式で配列された複数の領域において前記複数の画像データを表示する案内用画像データとを外部の送信装置から受信する第２受信部を備え、
前記第２画面データは、前記複数の領域のそれぞれに対応する複数の領域指定オブジェクトを含み、
前記第１受信部は、前記複数の領域指定オブジェクトの何れかを識別する前記第２制御要求を受信し、
前記制御部は、前記案内用画像データにおいて前記第２制御要求によって識別される前記領域指定オブジェクトに対応する領域で表示されている前記画像データを前記表示部に表示させる、請求項１〜３の何れか一項に記載の制御システム。
【請求項５】
前記複数の画像データのそれぞれは、第１グループ又は第２グループの何れかに属し、
前記案内用画像データは、前記複数の領域において前記第１グループに属する複数の画像データを表示する第１案内用画像データと、前記複数の領域において前記第２グループに属する複数の画像データを表示する第２案内用画像データとを所定時間間隔で切り替えて表示するデータを含み、
前記第１受信部は、前記複数の領域指定オブジェクトの何れかを識別する情報と前記操作部が前記操作を受付けた時刻を表す操作時刻とを含む前記第２制御要求を受信し、
前記制御部は、前記操作時刻に応じて、前記第１案内用画像データにおいて前記領域指定オブジェクトに対応する領域で表示されている画像データ又は前記第２案内用画像データにおいて前記領域指定オブジェクトに対応する領域で表示されている前記画像データを前記表示部に表示させる、請求項４に記載の制御システム。
【請求項６】
前記要求生成部は、前記表示装置に表示される前記第２画面の状態の取得を要求する状態取得要求を生成し、
前記端末送信部は、前記状態取得要求と前記制御端末を識別する前記制御端末識別情報とを前記サーバに送信し、
前記要求処理部は、受信した前記状態取得要求に応じて、受信した前記制御端末識別情報に関連付けて記憶された前記表示装置識別情報によって識別される前記表示装置において表示されている前記第２画面の状態を表す状態情報を取得し、前記状態情報に応じて前記第１画面を更新するための更新用データを前記制御端末に送信し、
前記端末表示部は、前記更新用データに基づいて前記第１画面を更新する、請求項１に記載の制御システム。
【請求項７】
前記記憶部は、前記制御端末識別情報と前記第１画面データとを関連付けて記憶し、
前記画面データ送信部は、前記制御端末を識別する前記制御端末識別情報に関連付けて記憶された前記第１画面データを前記制御端末に送信する、請求項１に記載の制御システム。
【請求項８】
制御端末と表示装置と記憶部を備えるサーバとを備え、前記制御端末が前記表示装置を制御するための機能を提供する制御システムにおける制御方法であって、
前記制御端末において、
第１オブジェクトが所定の構成で配置された第１画面を表示するための第１画面データを前記サーバから受信し、
前記第１画面を表示し、
ユーザによる前記第１オブジェクトの何れかを指定する操作を受付け、
指定された前記第１オブジェクトを識別する情報を含む第１制御要求を生成し、
前記第１制御要求と前記制御端末を識別する制御端末識別情報とを前記サーバに送信し、
前記表示装置において、
前記第１オブジェクトに対応する第２オブジェクトが所定の構成で配置された第２画面を表示するための第２画面データと、前記第２オブジェクトを識別する情報を含む第２制御要求とを前記サーバから受信し、
前記第２画面を表示し、
前記第２制御要求によって識別される前記第２オブジェクトに応じた制御を実行し、
前記サーバにおいて、
前記制御端末識別情報と前記表示装置を識別する表示装置識別情報とを関連付けて前記記憶部に記憶し、
前記第１画面データを前記制御端末に送信し、
前記第２画面データを前記表示装置に送信し、
前記制御端末から前記第１制御要求と前記制御端末識別情報とを受信し、
受信した前記制御端末識別情報に関連付けて記憶された前記表示装置識別情報によって識別される前記表示装置に、前記第１制御要求によって識別される前記第１オブジェクトに対応する前記第２オブジェクトを識別する情報を含む前記第２制御要求を送信する、
ことを含む、制御方法。
【請求項９】
制御端末が表示装置を制御するための機能を提供するサーバであって、
前記制御端末を識別する制御端末識別情報と前記表示装置を識別する表示装置識別情報とを関連付けて記憶する記憶部と、
第１オブジェクトが所定の構成で配置された第１画面を表示させるための第１画面データを前記制御端末に送信し、前記第１オブジェクトに対応する第２オブジェクトが所定の構成で配置された第２画面を表示するための第２画面データを前記表示装置に送信する画面データ送信部と、
前記制御端末から、前記第１オブジェクトを識別する情報を含む第１制御要求と前記制御端末識別情報とを受信し、受信した前記制御端末識別情報に関連付けて記憶された前記表示装置識別情報によって識別される前記表示装置に、第１制御要求によって識別される前記第１オブジェクトに対応する前記第２オブジェクトを識別する情報を含む第２制御要求を送信する要求処理部と、
を備える、サーバ。
【請求項１０】
記憶部を備え、制御端末が表示装置を制御するための機能を提供するサーバに、
前記制御端末を識別する制御端末識別情報と前記表示装置を識別する表示装置識別情報とを関連付けて前記記憶部に記憶し、
第１オブジェクトが所定の構成で配置された第１画面を表示させるための第１画面データを前記制御端末に送信し、
前記第１オブジェクトに対応する第２オブジェクトが所定の構成で配置された第２画面を表示するための第２画面データを前記表示装置に送信し、
前記制御端末から、前記第１オブジェクトを識別する情報を含む第１制御要求と前記制御端末識別情報とを受信し、受信した前記制御端末識別情報に関連付けて記憶された前記表示装置識別情報によって識別される前記表示装置に、第１制御要求によって識別される前記第１オブジェクトに対応する前記第２オブジェクトを識別する情報を含む第２制御要求を送信する、
ことを実行させる、制御プログラム。
【発明の詳細な説明】
【技術分野】
【０００１】
本発明は、制御システム、制御方法、サーバ及び制御プログラムに関する。
【背景技術】
【０００２】
近年、ＴＶ受像機のような映像コンテンツの表示装置をネットワーク上に存在するサーバに接続することによって、ユーザは、ウェブサーバによってインターネット上で提供される種々のコンテンツを表示装置上に表示して利用することが可能となっている。このような表示装置において、ユーザは、コンテンツを利用するためにＵＲＬ（Uniform Resource Locator）のような文字情報の入力等の操作を表示装置に対して行う必要があった。
【０００３】
例えば、特許文献１では、タッチパネルとソフトウェアキーボードとを備えたリモートコントローラ装置がインターネット上の検索サーバにアクセスして、ユーザが入力しているＵＲＬを補完することで文字情報の入力操作を支援することについて開示されている。
【先行技術文献】
【特許文献】
【０００４】
【特許文献１】特開２０１０−１０２４１２号公報
【発明の概要】
【発明が解決しようとする課題】
【０００５】
一方、今日の表示装置においては、データ放送又はハイブリッドキャストと呼ばれる、画面内に設けられたメニュー項目を選択してコンテンツを表示させる方式が実現している。しかしながら、特許文献１のリモートコントローラ装置は、多様なコンテンツを表示するためのメニュー項目等をユーザが直感的且つ簡易に操作できるユーザインタフェースを提供することができなかった。
【０００６】
本発明は、このような課題を解決すべくなされたものであり、ユーザにとって簡易な操作が可能な制御端末によって表示装置の制御が可能となる制御システム、制御方法、サーバ及びプログラムを提供することを目的とする。
【課題を解決するための手段】
【０００７】
本発明に係る制御システムは、制御端末と表示装置とサーバとを備え、制御端末が表示装置を制御するための機能を提供する制御システムであって、制御端末は、第１オブジェクトが所定の構成で配置された第１画面を表示するための第１画面データをサーバから受信する端末受信部と、第１画面を表示する端末表示部と、ユーザによる第１オブジェクトを指定する操作を受付ける操作部と、指定された第１オブジェクトを識別する情報を含む第１制御要求を生成する要求生成部と、第１制御要求と制御端末を識別する制御端末識別情報とをサーバに送信する端末送信部と、を備え、表示装置は、第１オブジェクトに対応する第２オブジェクトが所定の構成で配置された第２画面を表示するための第２画面データと、第２オブジェクトを識別する情報を含む第２制御要求とをサーバから受信する第１受信部と、第２画面を表示する表示部と、第２制御要求によって識別される第２オブジェクトに応じた制御を実行する制御部と、を備え、サーバは、制御端末識別情報と表示装置を識別する表示装置識別情報とを関連付けて記憶する記憶部と、第１画面データを制御端末に送信し、第２画面データを表示装置に送信する画面データ送信部と、制御端末から第１制御要求と制御端末識別情報とを受信し、受信した制御端末識別情報に関連付けて記憶された表示装置識別情報によって識別される表示装置に、第１制御要求によって識別される第１オブジェクトに対応する第２オブジェクトを識別する情報を含む第２制御要求を送信する要求処理部と、を備える。
【０００８】
また、本発明に係る制御システムにおいて、サーバは、表示装置識別情報を表示装置から取得する取得部と、取得した表示装置識別情報を含む識別用画像を表示するための識別用画像データを生成し、表示装置に送信する画像生成部と、を備え、第１受信部は、識別用画像データを受信し、表示部は、受信した識別用画像データに基づいて識別用画像を表示し、制御端末は、表示装置に表示された識別用画像に基づいて表示装置識別情報を抽出する抽出部を備え、要求生成部は、抽出された表示装置識別情報を含む登録要求を生成し、端末送信部は、生成された登録要求と、制御端末を識別する制御端末識別情報とをサーバに送信し、サーバは、制御端末から登録要求と制御端末識別情報とを受信し、登録要求に含まれる表示装置識別情報と受信した制御端末識別情報とを関連付けて記憶部に記憶する登録部を備える、ことが好ましい。
【０００９】
また、本発明に係る制御システムにおいて、登録部は、登録要求を受信した時刻から所定時間経過した時刻を有効期限として受信した制御端末識別情報に関連付けて記憶部に記憶し、要求処理部は、第１制御要求を受信した時刻が受信した制御端末識別情報に関連付けて記憶された有効期限を経過していない場合に限り、第２制御要求を送信する、ことが好ましい。
【００１０】
また、本発明に係る制御システムにおいて、表示装置は、複数の画像データと、画面上に所定の様式で配列された複数の領域において複数の画像データを表示する案内用画像データとを外部の送信装置から受信する第２受信部を備え、第２画面データは、複数の領域のそれぞれに対応する複数の領域指定オブジェクトを含み、第１受信部は、複数の領域指定オブジェクトの何れかを識別する第２制御要求を受信し、制御部は、案内用画像データにおいて第２制御要求によって識別される領域指定オブジェクトに対応する領域で表されている画像データを表示部に表示させる、ことが好ましい。
【００１１】
また、本発明に係る制御システムにおいて、複数の画像データのそれぞれは、第１グループ又は第２グループの何れかに属し、案内用画像データは、複数の領域において第１グループに属する複数の画像データを表示する第１案内用画像データと、複数の領域において第２グループに属する複数の画像データを表示する第２案内用画像データとを所定時間間隔で切り替えて表示するデータを含み、第１受信部は、複数の領域指定オブジェクトの何れかを識別する情報と操作部が操作を受付けた時刻を表す操作時刻とを含む第２制御要求を受信し、制御部は、操作時刻に応じて、第１案内用画像データにおいて領域指定オブジェクトに対応する領域で表示されている画像データ又は第２案内用画像データにおいて領域指定オブジェクトに対応する領域で表示されている画像データを表示部に表示させる、ことが好ましい。
【００１２】
また、本発明に係る制御システムにおいて、要求生成部は、表示装置に表示される第２画面の状態の取得を要求する状態取得要求を生成し、端末送信部は、状態取得要求と制御端末を識別する制御端末識別情報とをサーバに送信し、要求処理部は、受信した状態取得要求に応じて、受信した制御端末識別情報に関連付けて記憶された表示装置識別情報によって識別される表示装置において表示されている第２画面の状態を表す状態情報を取得し、状態情報に応じて第１画面を更新するための更新用データを制御端末に送信し、端末表示部は、更新用データに基づいて第１画面を更新する、ことが好ましい。
【００１３】
また、本発明に係る制御システムにおいて、記憶部は、制御端末識別情報と第１画面データとを関連付けて記憶し、画面データ送信部は、制御端末を識別する制御端末識別情報に関連付けて記憶された第１画面データを制御端末に送信する、ことが好ましい。
【００１４】
本発明に係る制御方法は、制御端末と表示装置と記憶部を備えるサーバとを備え、制御端末が表示装置を制御するための機能を提供する制御システムにおける制御方法であって、制御端末において、第１オブジェクトが所定の構成で配置された第１画面を表示するための第１画面データをサーバから受信し、第１画面を表示し、ユーザによる第１オブジェクトの何れかを指定する操作を受付け、指定された第１オブジェクトを識別する情報を含む第１制御要求を生成し、第１制御要求と制御端末を識別する制御端末識別情報とをサーバに送信し、表示装置において、第１オブジェクトに対応する第２オブジェクトが所定の構成で配置された第２画面を表示するための第２画面データと、第２オブジェクトを識別する情報を含む第２制御要求とをサーバから受信し、第２画面を表示し、第２制御要求によって識別される前記第２オブジェクトに応じた制御を実行し、サーバにおいて、制御端末識別情報と前記表示装置を識別する表示装置識別情報とを関連付けて記憶部に記憶し、第１画面データを制御端末に送信し、第２画面データを表示装置に送信し、制御端末から第１制御要求と制御端末識別情報とを受信し、受信した制御端末識別情報に関連付けて記憶された表示装置識別情報によって識別される表示装置に、第１制御要求によって識別される第１オブジェクトに対応する第２オブジェクトを識別する情報を含む第２制御要求を送信する、ことを含む。
【００１５】
本発明に係るサーバは、制御端末が表示装置を制御するための機能を提供するサーバであって、制御端末を識別する制御端末識別情報と表示装置を識別する表示装置識別情報とを関連付けて記憶する記憶部と、第１オブジェクトが所定の構成で配置された第１画面を表示させるための第１画面データを制御端末に送信し、第１オブジェクトに対応する第２オブジェクトが所定の構成で配置された第２画面を表示するための第２画面データを表示装置に送信する画面データ送信部と、制御端末から、第１オブジェクトを識別する情報を含む第１制御要求と制御端末識別情報とを受信し、受信した制御端末識別情報に関連付けて記憶された表示装置識別情報によって識別される表示装置に、第１制御要求によって識別される第１オブジェクトに対応する第２オブジェクトを識別する情報を含む第２制御要求を送信する要求処理部と、を備える。
【００１６】
本発明に係る制御プログラムは、記憶部を備え、制御端末が表示装置を制御するための機能を提供するサーバに、制御端末を識別する制御端末識別情報と表示装置を識別する表示装置識別情報とを関連付けて記憶部に記憶し、第１オブジェクトが所定の構成で配置された第１画面を表示させるための第１画面データを制御端末に送信し、第１オブジェクトに対応する第２オブジェクトが所定の構成で配置された第２画面を表示するための第２画面データを表示装置に送信し、制御端末から、第１オブジェクトを識別する情報を含む第１制御要求と制御端末識別情報とを受信し、受信した制御端末識別情報に関連付けて記憶された表示装置識別情報によって識別される表示装置に、第１制御要求によって識別される第１オブジェクトに対応する第２オブジェクトを識別する情報を含む第２制御要求を送信する、ことを実行させる。
【発明の効果】
【００１７】
本発明に係る制御システム、制御方法、サーバ及び制御プログラムによって、ユーザにとって簡易な操作が可能な制御端末によって表示装置の制御が可能となる。
【図面の簡単な説明】
【００１８】
【図１】制御システム１の概略を説明するための模式図である。
【図２】制御システム１の概略構成の一例を示す図である。
【図３】制御端末２の概略構成の一例を示す図である。
【図４】表示装置３の概略構成の一例を示す図である。
【図５】表示部３０７に表示される画面の一例を示す図である。
【図６】サーバ４の概略構成の一例を示す図である。
【図７】登録制御端末テーブルのデータ構造の一例を示す図である。
【図８】（ａ）は、第２画面の一例を示す図であり、（ｂ）は、第１画面の一例を示す図であり、（ｃ）は、第２画面の他の一例を示す図であり、（ｄ）は、端末表示部２４に表示される第１画面の他の一例を示す図である。
【図９】制御システム１における制御処理の動作シーケンスの一例を示すシーケンス図である。
【図１０】制御システム１における状態取得処理の動作シーケンスの一例を示すシーケンス図である。
【図１１】第１画面テーブルのデータ構造の一例を示す図である。
【図１２】（ａ）は、表示部３０７に表示される第２画面の一例を示す図であり、（ｂ）は、制御端末識別情報と関連付けて記憶された第１画面の一例を示す図であり、（ｃ）は、他の制御端末識別情報と関連付けて記憶された第１画面の一例を示す図である。
【図１３】第１画面を更新する処理の概略を説明するための模式図である。
【図１４】第１画面を更新する処理の概略を説明するための模式図である。
【図１５】制御システム１’の概略構成の一例を示す図である。
【図１６】送信装置５’の概略構成の一例を示す図である。
【図１７】（ａ）は、表示部３０７に表示される第１案内用画像の一例を示す図であり、（ｂ）は、表示部３０７に表示される第２案内用画像の一例を示す図である。
【図１８】（ａ）は、表示部３０７に表示される第２画面の一例を示す図であり、（ｂ）は、端末表示部２４に表示される第１画面の一例を示す図である。
【図１９】案内用画像テーブルのデータ構造の一例を示す図である。
【図２０】オブジェクト対応テーブルのデータ構造の一例を示す図である。
【図２１】第２画面の一例を示す図である。
【発明を実施するための形態】
【００１９】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２０】
［第１の実施形態］
図１は、本発明の第１の実施形態に係る制御システム１の概略を説明するための模式図である。制御システム１は、互いに通信可能に接続された制御端末２と表示装置３とサーバ４とを含む。
【００２１】
制御端末２は、例えば、ユーザによって所有される、多機能携帯電話（スマートフォン）等の携帯端末である。制御端末２は、ブラウザアプリケーションを実行可能に構成され、ＨＴＭＬ（Hypertext Markup Language）５等で記述された文字データ、図形画像データ又は制御データを受信する。制御端末２は、受信した文字データ若しくは図形データに基づいて文字若しくは図形画像を端末表示部に表示し、又は受信した制御データに応じた制御を行うことができる。また、制御端末２は、ユーザによる操作を受付け、受付けた操作に応じた制御を行うことができる。
【００２２】
表示装置３は、例えば、ユーザによって所有される、ブラウザアプリケーションを実行可能なＴＶ受像機である。表示装置３は、外部の送信装置から送信される放送番組に対応する放送データを含む放送信号を受信することで、放送データを表示部に表示する。また、表示装置３は、ブラウザアプリケーションを実行することにより、ＢＭＬ（Broadcast Markup Language）又はＨＴＭＬ５等で記述された文字データ、図形画像データ又は制御データを受信する。表示装置３は、受信した文字データ若しくは図形画像データに基づいて文字若しくは図形画像を表示部に表示し、又は受信した制御データに応じた制御を行うことができる。
【００２３】
サーバ４は、例えば放送事業者によって所有される、ワークステーション等の情報処理装置である。サーバ４は、制御端末２及び表示装置３と種々のデータを送受信することで、制御端末２が表示装置３を制御するための機能を提供する。
【００２４】
以下では、図１を用いて、本発明に係る制御システム１の概略を説明する。まず、制御端末２は、第１オブジェクトが所定の構成で配置された第１画面を表示するための第１画面データをサーバ４から受信し、第１画面を表示する。図１においては、第１画面には、「メール」オブジェクトと「カレンダー」オブジェクトが第１オブジェクトとして配置されている。以下では、これらの第１オブジェクトは、第１「メール」オブジェクト等と称する。また、表示装置３は、第１オブジェクトに対応する第２オブジェクトが所定の構成で配置された第２画面を表示するための第２画面データをサーバ４から受信し、第２画面を表示する。図１においては、第２画面には、第１画面の第１「メール」オブジェクト及び第１「カレンダー」オブジェクトにそれぞれ対応する「メール」オブジェクト及び「カレンダー」オブジェクトが第２オブジェクトとして配置されている。以下では、これらの第２オブジェクトは、第２「メール」オブジェクト等と称する。
【００２５】
続いて、制御端末２は、ユーザによる第１オブジェクトを指定する操作を受付け、指定された第１オブジェクトを識別する情報を含む第１制御要求を生成し、第１制御要求と制御端末を識別する制御端末識別情報とをサーバ４に送信する。図１（１）において、制御端末２は、ユーザによる第１「メール」オブジェクトを指定する操作を受付け、第１「メール」オブジェクトを識別する情報を含む第１制御要求と制御端末識別情報とをサーバ４に送信する。制御端末識別情報は、例えば、制御端末２がサーバ４と通信する際に用いられる、制御端末２に割り振られたＭＡＣ（Media Access Control）アドレス又はＩＰアドレスである。制御端末識別情報は、制御端末２を他の制御端末から識別する情報であればどのような情報でもよく、例えば、ユーザによって入力されたユーザを識別するためのユーザ識別情報でもよい。
【００２６】
サーバ４は、制御端末識別情報と表示装置３を識別する表示装置識別情報とを関連付けて記憶する。サーバ４は、予め制御端末識別情報と表示装置識別情報とを関連付けて記憶することによって、制御端末２が制御しようとしている表示装置３を特定する。これにより、予め登録されている制御端末２のみが表示装置３を制御できることとなり、登録されていない制御端末２によって表示装置３が不正に利用されることを防止することが可能となる。
【００２７】
サーバ４は、制御端末２から第１制御要求と制御端末識別情報とを受信する。また、サーバ４は、受信した制御端末識別情報に関連付けて記憶された表示装置識別情報によって識別される表示装置３に、第１制御要求によって識別される第１オブジェクトに対応する第２オブジェクトを識別する情報を含む第２制御要求を送信する。図１（２）において、サーバ４は、制御端末２を識別する制御端末識別情報である「ＳＰ０００１」に関連付けて記憶された表示装置識別情報である「ＴＶ０００１」によって識別される表示装置３に第２制御要求を送信する。第２制御要求は、第１制御要求が識別する第１「メール」オブジェクトに対応する、第２「メール」オブジェクトを識別する情報を含む。
【００２８】
続いて、表示装置３は、第２制御要求をサーバから受信し、第２制御要求によって識別される第２オブジェクトに応じた制御を実行する。図１（３）において、表示装置３は、第２制御要求を受信し、第２制御要求が識別する第２「メール」オブジェクトに応じた制御を実行する。第２「メール」オブジェクトに応じた制御がメールアプリケーションを起動する制御である場合、表示装置３は、例えば、メールアプリケーションを起動し、メールアプリケーション実行画面を表示する表示制御を行う。図１（３）において、表示装置３は、メールアプリケーション実行画面として受信メールを一覧表示する画面を表示する。
【００２９】
第２オブジェクトに応じた制御は、所定のアプリケーションの実行に限られない。例えば、第２オブジェクトに応じた制御は、所定のアプリケーションを終了する制御を含んでよい。また、表示装置３が複数の放送データを含む放送信号を受信し、複数の放送データの何れかを選択して表示するように構成されている場合、第２オブジェクトに応じた制御は、表示装置３が選択する放送データを変更する制御を含んでよい。
【００３０】
以上、図１を参照しつつ説明したとおり、上述の制御システム１は、制御端末２と表示装置３とサーバ４とを備え、制御端末２が表示装置３を制御するための機能を提供する制御システムであって、制御端末２は、第１オブジェクトが所定の構成で配置された第１画面を表示するための第１画面データをサーバ４から受信し、第１画面を表示し、ユーザによる第１オブジェクトを指定する操作を受付け、指定された第１オブジェクトを識別する情報を含む第１制御要求を生成し、第１制御要求と制御端末を識別する制御端末識別情報とをサーバに送信し、表示装置３は、第１オブジェクトに対応する第２オブジェクトが所定の構成で配置された第２画面を表示するための第２画面データと、第２オブジェクトを識別する情報を含む第２制御要求とをサーバ４から受信し、第２画面を表示し、第２制御要求によって識別される第２オブジェクトに応じた制御を実行し、サーバ４は、制御端末識別情報と表示装置を識別する表示装置識別情報とを関連付けて記憶し、第１画面データを制御端末２に送信し、第２画面データを表示装置３に送信し、制御端末２から第１制御要求と制御端末識別情報とを受信し、受信した制御端末識別情報に関連付けて記憶された表示装置識別情報によって識別される表示装置３に、第１制御要求によって識別される第１オブジェクトに対応する第２オブジェクトを識別する情報を含む第２制御要求を送信する。このような構成を備えることにより、ユーザは、制御端末２が表示している第２オブジェクトを指定するという簡易な操作で表示装置３を制御することができる。
【００３１】
図２は、制御システム１の概略構成の一例を示す図である。制御システム１は、制御端末２と、表示装置３と、サーバ４と、送信装置５とを備える。制御端末２と表示装置３とサーバ４とは、ネットワーク６を介して通信可能に接続され、種々のデータを相互に送受信する。また、送信装置５は放送信号を表示装置３に送信する。
【００３２】
図３は、制御端末２の概略構成の一例を示す図である。制御端末２は、端末記憶部２１と、端末操作部２２と、端末通信部２３と、端末表示部２４と、端末撮影部２５と、端末処理部２６とを備える。
【００３３】
端末記憶部２１は、プログラムまたはデータを記憶するためのデバイスであり、例えば、半導体メモリ装置を備える。端末記憶部２１は、端末処理部２６による処理に用いられるオペレーティングシステムプログラム、ドライバプログラム、アプリケーションプログラム、データ等を記憶する。
【００３４】
端末操作部２２は、ユーザによる制御端末２の操作を受付けるためのデバイスであり、例えば、キーパッド等である。また、端末操作部２２は、後述する端末表示部２４と一体化されたタッチパネルであってもよい。端末操作部２２は、ユーザによる文字、数字、記号等の入力操作を受付ける。また、端末操作部２２は、ユーザによる端末表示部２４に表示される第１画面に含まれる第１オブジェクトを指定する操作を受付ける。端末操作部２２は、ユーザによる操作を受付けた場合、その操作に対応する信号を生成し、端末処理部２６に供給する。なお、端末操作部２２は、操作部の一例である。
【００３５】
端末通信部２３は、ネットワーク６を介して制御端末２をサーバ４と通信可能にする通信インタフェース回路を備える。端末通信部２３が備える通信インタフェース回路は、ＬＴＥ（Long Term Evolution）又は無線ＬＡＮ（Local Area Network）の通信インタフェース回路等である。端末通信部２３は、端末処理部２６から供給されたデータをサーバ４に送信し、サーバ４から送信されたデータを受信し、端末処理部２６に供給する。なお、端末通信部２３は、端末送信部及び端末受信部の一例である。
【００３６】
端末表示部２４は、制御端末２のユーザに対して画像等を表示するデバイスであり、例えば、液晶ディスプレイや有機ＥＬディスプレイである。端末表示部２４は、端末処理部２６から供給されるデータに応じた画像等を表示する。また、端末表示部２４は、端末通信部２３が受信した第１画面データに基づいて、第１オブジェクトを含む第１画面を表示する。
【００３７】
端末撮影部２５は、結像光学系、撮像素子及び画像処理部等を備える。結像光学系は、例えば光学レンズであり、被写体からの光束を撮像素子の撮像面上に結像させる。撮像素子は、例えば、ＣＣＤ（Charge Coupled Device）又はＣＭＯＳ（Complementary Metal Oxide Semiconductor）等であり、撮像面上に結像した被写体像の画像信号を出力する。画像処理部は、撮像素子によって生成された画像信号から所定のファイル形式の画像データを作成して出力する。例えば、端末撮影部２５は、表示装置３に表示された識別用画像を撮影した画像に係る画像データを作成して端末処理部２６に供給する。
【００３８】
端末処理部２６は、一又は複数個のプロセッサ及びその周辺回路を備える。端末処理部２６は、例えばＣＰＵ（Central Processing Unit）であり、制御端末２の動作を統括的に制御する。端末処理部２６は、端末記憶部２１に記憶されているプログラムや端末操作部２２の操作に基づいて制御端末２の各種処理が適切な手順で実行されるように、端末表示部２４や端末通信部２３の動作を制御する。端末処理部２６は、端末記憶部２１に記憶されているプログラムに基づいて処理を実行する。また、端末処理部２６は、複数のプログラムを並列に実行することができる。
【００３９】
端末処理部２６は、抽出部２６１と、要求生成部２６２と、要求送信部２６３と、表示更新部２６４とを機能ブロックとして備える。抽出部２６１と、要求生成部２６２と、要求送信部２６３と、表示更新部２６４とは、端末処理部２６が実行するプログラムによって実現される機能モジュールである。また、抽出部２６１と、要求生成部２６２と、要求送信部２６３と、表示更新部２６４とは、ファームウェアとして制御端末２に実装されてもよい。
【００４０】
抽出部２６１は、表示装置３に表示された識別用画像に基づいて、表示装置３を識別する表示装置識別情報を抽出する。具体的には、抽出部２６１は、表示装置３に表示された識別用画像を端末撮影部２５が撮影することにより画像データを取得し、取得した画像データに所定のアルゴリズムを適用することで表示装置識別情報を抽出する。識別用画像は、表示装置識別情報を含む文字情報を所定のアルゴリズムで画像化したものであり、例えば、ＱＲコード（登録商標）等の二次元コードである。識別用画像は、一次元コードでもよく、また、表示装置識別情報を示す画像でもよい。識別用画像は、制御端末２が登録要求を送信するための、表示装置識別情報を含むサーバ４のＵＲＬに基づいて生成されてもよい。
【００４１】
要求生成部２６２は、抽出部２６１によって抽出された表示装置識別情報を含む登録要求を生成する。登録要求は、制御端末２を、登録要求に含まれる表示装置識別情報によって識別される表示装置３を制御する端末として登録することをサーバ４に要求する信号である。
【００４２】
また、要求生成部２６２は、端末操作部２２が受付けたユーザによる第１オブジェクトを指定する操作によって指定された第１オブジェクトを識別する情報を含む第１制御要求を生成する。第１制御要求は、第１オブジェクトに対応する第２オブジェクトに応じた制御を表示装置３に実行させるための第２制御要求を送信することをサーバ４に要求する信号である。
【００４３】
また、要求生成部２６２は、所定時間間隔（例えば、５秒）毎に状態取得要求を生成する。状態取得要求は、第２画面の状態を示す状態情報の取得をサーバ４に要求する信号である。状態情報は、例えば、第２画面が複数のページから構成されている場合において、表示装置３に表示されている第２画面のページを識別する情報を含む。要求生成部２６２は、端末操作部２２がユーザによる状態取得要求の生成を指示する操作を受付けたことに応じて状態取得要求を生成してもよい。
【００４４】
要求送信部２６３は、端末通信部２３を介して、要求生成部２６２が生成した登録要求と制御端末２を識別する制御端末識別情報とをサーバ４に送信する。また、要求送信部２６３は、端末通信部２３を介して、要求生成部２６２が生成した第１制御要求と制御端末識別情報とをサーバ４に送信する。また、要求送信部２６３は、端末通信部２３を介して、要求生成部２６２が生成した状態取得要求と制御端末識別情報とをサーバ４に送信する。
【００４５】
表示更新部２６４は、状態取得要求に応じてサーバ４から送信された更新用データに基づいて第１画面を更新する。更新用データは、例えば、第１画面が複数のページから構成されている場合において、端末表示部２４に表示される第１画面のページを識別する情報を含む。表示更新部２６４は、サーバ４から第１画面のページを識別する情報を含む更新用データを受信した場合、対応する第１画面のページを表示するための表示データを生成し、端末表示部２４に供給することで第１画面を更新する。
【００４６】
図４は、表示装置３の概略構成の一例を示す図である。表示装置３は、放送受信部３０１と、多重分離部３０２と、デコーダ部３０３と、音声出力部３０４と、表示制御部３０５と、画像重畳部３０６と、表示部３０７と、通信部３０８と、記憶部３０９とを備える。
【００４７】
放送受信部３０１は、外部の送信装置から送信された放送信号を受信し、表示制御部３０５からの選局指示に含まれるチャンネルに対応する放送信号を抽出する。放送信号は、例えば、放送データを含むＴＳ（Transport Stream）信号をＯＦＤＭ（Orthogonal Frequency Division Multiplexing）変調又はＱＡＭ（Quadrature Amplitude Modulation）変調した信号である。放送受信部３０１は、抽出した放送信号をＴＳ信号に復調する。なお、放送受信部３０１は第２受信部の一例である。
【００４８】
多重分離部３０２は、放送受信部３０１が復調したＴＳ信号を受け取り、ＴＳ信号に含まれる放送画像データ、音声データ及び放送情報データを分離する。多重分離部３０２は、放送画像データ及び音声データをデコーダ部３０３に送出するとともに、放送情報データを表示制御部３０５に送出する。
【００４９】
デコーダ部３０３は、多重分離部３０２から受け取った放送画像データ及び音声データを復号する。デコーダ部３０３は、復号した放送画像データを画像重畳部３０６に送出するとともに、復号した音声データを音声出力部３０４に送出する。
【００５０】
音声出力部３０４は、例えば、スピーカである。音声出力部３０４は、デコーダ部３０３から受け取った音声データを音声として出力する。
【００５１】
表示制御部３０５は、一又は複数個のプロセッサ及びその周辺回路を備える。表示制御部３０５は、表示装置３の全体的な動作を統括的に制御するものであり、例えば、ＣＰＵである。表示制御部３０５は、多重分離部３０２から受け取った放送情報データに基づいて、図形画像データ及び文字データを生成し、画像重畳部３０６に送出する。例えば、表示制御部３０５は、通信部３０８を介して、放送情報データに含まれるＵＲＬに基づいてサーバ４に第２画面データの送信を要求する。表示制御部３０５は、受信した第２画面データに基づいて図形画像データ及び文字データを生成し、画像重畳部３０６に送出する。
【００５２】
また、表示制御部３０５は、第２制御要求が識別する第２オブジェクトに応じた制御を実行する。具体的には、表示制御部３０５は、通信部３０８から受け取った第２制御要求に含まれる第２オブジェクトを識別する情報に対応する、記憶部３０９に記憶されたアプリケーションを特定する。そして、表示制御部３０５は、特定されたアプリケーションを実行することにより第２オブジェクトに応じた制御を実行する。
【００５３】
また、表示制御部３０５は、赤外線受信回路を備える赤外線受信部（図示せず）と接続する。赤外線受信部が赤外線リモコン等の操作装置から信号を受信すると、表示制御部３０５は、受信した信号に応じた制御を実行する。例えば、表示制御部３０５は、操作装置から選局信号を受信した場合、選局信号が指定するチャンネルに対応する放送信号を抽出する選局指示を放送受信部３０１に送出する。また、表示制御部３０５は、操作装置から第２オブジェクト選択信号を受信した場合、第２オブジェクトを選択された状態に設定する。具体的には、表示制御部３０５は、選択された第２オブジェクトにカーソル図形画像を重畳表示するためのカーソル図形画像データを生成し、記憶部３０９に記憶された選択された第２オブジェクトの表示位置と共に画像重畳部３０６に送出する。カーソル図形画像は、第２オブジェクトの枠の形状と同一又は類似形状の図形である。また、表示制御部３０５は、操作装置から第２オブジェクト実行信号を受信した場合、選択されている第２オブジェクトに応じた制御を実行する。
【００５４】
また、表示制御部３０５は、サーバ４に識別用画像データの送信を要求するための識別用画像送信要求を送信する。表示制御部３０５は、サーバ４から識別用画像データを受信した場合、識別用画像データと識別用画像を表示する表示位置とを画像重畳部３０６に送出する。識別用画像を表示する表示位置は、例えば、記憶部３０９に記憶されている。また、識別用画像を表示する表示位置は、識別用画像データと共にサーバ４から受信されてもよい。表示制御部３０５による識別用画像送信要求の送信は、例えば、操作装置から識別用画像表示信号を受信した場合に実行される。
【００５５】
また、表示制御部３０５は、通信部３０８を介して、表示装置３を識別する表示装置識別情報をサーバ４に送信する。例えば、表示制御部３０５は、サーバ４に第２画面データの送信を要求する際に表示装置識別情報を送信する。また、表示制御部３０５は、識別用画像データの送信をサーバ４に要求する際に表示装置識別情報を送信する。
【００５６】
また、表示制御部３０５は、サーバ４から状態送信要求を受信したことに応じて、通信部３０８を介して、第２画面の状態を表す状態情報を送信する。状態情報は、例えば、第２画面が複数のページから構成されている場合において、表示部３０７に表示されている第２画面のページを識別する情報を含む。
【００５７】
画像重畳部３０６は、表示制御部３０５から受け取った図形画像データ及び文字データ等と、デコーダ部３０３から受け取った放送画像データとを重畳して画像データを作成し、作成した画像データを表示部３０７に送出する。また、画像重畳部３０６は、カーソル図形画像データと選択されている第２オブジェクトの表示位置とを表示制御部３０５から受け取った場合、第２オブジェクトにカーソル図形画像を重畳した画像データを作成し、作成した画像データを表示部３０７に送出する。また、画像重畳部３０６は、識別用画像データと識別用画像を表示する表示位置とを表示制御部３０５から受け取った場合、受け取った表示位置に識別用画像を重畳して表示した画像データを作成し、作成した画像データを表示部３０７に送出する。
【００５８】
表示部３０７は、例えば、液晶ディスプレイ又は有機ＥＬディスプレイである。表示部３０７は、画像重畳部３０６から受け取った画像データを表示出力する。
【００５９】
図５は、表示部３０７に表示される画面の一例を示す図である。図５に示されるように、表示部３０７は、放送番組に対応する放送画像３０７１と第２画面３０７２とを表示する。具体的には、例えば、放送画像３０７１を所定の表示位置に表示するとともに、放送画像３０７１の表示位置に対応する位置を透過表示するように構成された第２画面３０７２を重畳表示することで、放送画像３０７１と第２画面３０７２とを表示する。
【００６０】
第２画面３０７２は、選択されている第２オブジェクト３０７３及び選択されていない第２オブジェクト３０７４を含む。選択されている第２オブジェクト３０７３には、第２オブジェクトの枠の形状と同一形状のカーソル図形画像が重畳表示されている。図５において、表示制御部３０５が操作装置から第２オブジェクト３０７４を選択する第２オブジェクト選択信号を受信した場合、表示制御部３０５は、第２オブジェクト３０７４を選択し、第２オブジェクト３０７４にカーソル図形画像を重畳表示する。なお、図５において、表示制御部３０５が操作装置から第２オブジェクト選択信号を受信した場合とは、例えば、赤外線リモコンにおいて「右」のボタンが押下された場合である。また、図５において、表示制御部３０５が操作装置から第２オブジェクト実行信号を受信した場合、表示制御部３０５は、選択されている第２オブジェクト３０７３に応じた制御を実行する。
【００６１】
また、第２画面３０７２は、識別用画像３０７５を含む。識別用画像３０７５は、表示制御部３０５が操作装置から識別用画像表示信号を受信した時刻又は表示制御部がサーバ４から識別用画像データを受信した時刻から所定時間だけ表示されてもよい。
【００６２】
図４に戻り、通信部３０８は、ネットワーク６を介して表示装置３をサーバ４と通信可能にする通信インタフェース回路を備える。通信部３０８が備える通信インタフェース回路は、例えば、有線ＬＡＮ又は無線ＬＡＮ等の通信インタフェース回路である。通信部３０８は、サーバ４から受信したデータを表示制御部３０５に供給し、表示制御部３０５から供給されたデータをサーバ４に送信する。なお、通信部３０８は第１受信部の一例である。
【００６３】
記憶部３０９は、例えば、半導体メモリ装置を備える。記憶部３０９は、表示制御部３０５での処理に用いられるプログラム、データ等を記憶する。特に、記憶部３０９は、第２オブジェクトに対応する制御として実行されるアプリケーションをプログラムとして記憶する。また、記憶部３０９は、表示制御部３０５がカーソル図形画像を表示する表示位置を決定するために第２オブジェクトの表示位置をデータとして記憶する。また、記憶部３０９は、識別用画像データの表示位置をデータとして記憶する。
【００６４】
図６は、サーバ４の概略構成の一例を示す図である。サーバ４は、サーバ記憶部４１と、サーバ通信部４２と、サーバ処理部４３とを備える。
【００６５】
サーバ記憶部４１は、プログラムまたはデータを記憶するためのデバイスであり、例えば、半導体メモリ装置を備える。サーバ記憶部４１は、サーバ処理部４３による処理に用いられるオペレーティングシステムプログラム、ドライバプログラム、アプリケーションプログラム、データ等を記憶する。サーバ記憶部４１は、データとして第１画面データ及び第２画面データを記憶する。また、サーバ記憶部４１は、データとして登録制御端末テーブルを記憶する。
【００６６】
図７は、登録制御端末テーブルのデータ構造の一例を示す図である。登録制御端末テーブルにおいては、制御端末識別情報、表示装置識別情報及び有効期限等が関連付けて記憶されている。制御端末識別情報は、登録要求をサーバ４に送信した制御端末２を識別する情報である。表示装置識別情報は、表示装置３を識別する情報である。登録制御端末テーブルには、登録要求を送信した制御端末２を識別する制御端末識別情報と登録要求に含まれる表示装置識別情報とが関連付けて記憶される。制御端末２を識別する制御端末識別情報と表示装置識別情報とが関連付けて記憶されることによって、制御端末２は、表示装置識別情報が識別する表示装置３を制御することが可能となる。有効期限は、制御端末２が表示装置３を制御することができる期間の終了時点を表し、例えば、登録要求を受信した時刻の所定時間（例えば、２４時間）後の時刻が記憶される。有効期限が経過した場合、後述するように、サーバ処理部４３は、制御端末２が表示装置３を制御できないようにする。
【００６７】
図６に戻り、サーバ通信部４２は、ネットワーク６を介してサーバ４を制御端末２及び表示装置３と通信可能にする通信インタフェース回路を備える。サーバ通信部４２が備える通信インタフェース回路は、例えば、有線ＬＡＮ又は無線ＬＡＮ等の通信インタフェース回路である。サーバ通信部４２は、制御端末２又は表示装置３から受信したデータをサーバ処理部４３に供給し、サーバ処理部４３から供給されたデータを制御端末２又は表示装置３に送信する。
【００６８】
サーバ処理部４３は、一又は複数個のプロセッサ及びその周辺回路を備える。サーバ処理部４３は、例えばＣＰＵであり、サーバ４の動作を統括的に制御する。サーバ処理部４３は、サーバ記憶部４１に記憶されているプログラムに基づいてサーバ４の各種処理が適切な手順で実行されるように、サーバ通信部４２の動作を制御する。サーバ処理部４３は、サーバ記憶部４１に記憶されているプログラムに基づいて処理を実行する。また、サーバ処理部４３は、複数のプログラムを並列に実行することができる。
【００６９】
サーバ処理部４３は、取得部４３１と、識別用画像生成部４３２と、登録部４３３と、画面データ送信部４３４と、要求処理部４３５とを機能ブロックとして備える。取得部４３１と、識別用画像生成部４３２と、登録部４３３と、画面データ送信部４３４と、要求処理部４３５とは、サーバ処理部４３が実行するプログラムによって実現される機能モジュールである。また、取得部４３１と、識別用画像生成部４３２と、登録部４３３と、画面データ送信部４３４と、要求処理部４３５とは、ファームウェアとしてサーバ４に実装されてもよい。
【００７０】
取得部４３１は、表示装置識別情報を表示装置３から取得する。具体的には、取得部４３１は、サーバ通信部４２を介して、表示装置３から識別用画像生成要求を受信し、識別用画像生成要求に含まれる表示装置識別情報を取得する。また、取得部４３１は、表示装置３に表示装置識別情報送信要求を送信し、表示装置３に表示装置識別情報を送信させることによって表示装置識別情報を取得してもよい。
【００７１】
識別用画像生成部４３２は、取得した表示装置識別情報を含む識別用画像を表示するための識別用画像データを生成し、表示装置３に送信する。識別用画像生成部４３２は、生成された識別用画像を所定のフォーマットの画像データとした識別用画像データを生成し、生成した識別用画像データを、サーバ通信部４２を介して表示装置３に送信する。また、識別用画像生成部４３２は、表示装置３において識別用画像を表示する表示位置を識別用画像データと共に表示装置３に送信してもよい。なお、識別用画像生成部４３２は、画像生成部の一例である。
【００７２】
登録部４３３は、制御端末２から登録要求と制御端末識別情報とを受信し、登録要求に含まれる表示装置識別情報と受信した制御端末識別情報とを関連付けてサーバ記憶部４１の登録制御端末テーブルに記憶する。また、登録部４３３は、登録要求を受信した時刻から所定時間経過した時刻を有効期限として受信した制御端末識別情報に関連付けてサーバ記憶部４１の登録制御端末テーブルに記憶する。登録部４３３は、受信した制御端末識別情報が既に表示装置識別情報と関連付けて記憶されている制御端末識別情報である場合、記憶されている表示装置識別情報を削除し、登録要求に含まれる表示装置識別情報を制御端末識別情報と関連付けて新たに記憶してもよい。
【００７３】
画面データ送信部４３４は、第１画面データを制御端末２に送信し、第２画面データを表示装置３に送信する。画面データ送信部４３４は、表示装置３が第２画面データを送信するようにサーバ４に要求することに応じて、サーバ通信部４２を介して第２画面データを表示装置３に送信する。また、画面データ送信部４３４は、登録部４３３が制御端末識別情報を登録制御端末テーブルに記憶したことに応じて、サーバ通信部４２を介して制御端末識別情報が識別する制御端末２に対して第１画面データを送信する。
【００７４】
要求処理部４３５は、制御端末２から第１制御要求と制御端末識別情報とを受信する。また、要求処理部４３５は、受信した制御端末識別情報に関連付けて記憶された表示装置識別情報によって識別される表示装置３に、第１制御要求によって識別される第１オブジェクトに対応する第２オブジェクトを識別する情報を含む第２制御要求を送信する。
【００７５】
また、要求処理部４３５は、第１制御要求を受信した時刻が受信した制御端末に関連付けて記憶された有効期限を経過していない場合に限り、第２制御要求を送信する。具体的には、要求処理部４３５は、制御端末２から第１制御要求と制御端末識別情報とを受信すると、受信した制御端末識別情報がサーバ記憶部４１の登録制御端末テーブルに記憶されているか否かを判定する。要求処理部４３５は、受信した制御端末識別情報が登録制御端末テーブルに記憶されていないと判定した場合、第２制御要求を送信しない。要求処理部４３５は、受信した制御端末識別情報が登録制御端末テーブルに記憶されていると判定した場合、制御端末識別情報に関連付けて記憶された表示装置識別情報と有効期限とを取得する。
【００７６】
続いて、要求処理部４３５は、第１制御要求を受信した時刻が取得した有効期限を経過しているか否かを判定する。要求処理部４３５は、第１制御要求を受信した時刻が取得した有効期限を経過しているか否かを判定する。要求処理部４３５は、第１制御要求を受信した時刻が取得した有効期限を経過していると判定した場合、第２制御要求を送信しない。要求処理部４３５は、第１制御要求を受信した時刻が取得した有効期限を経過していないと判定した場合、第１制御要求が識別する第１オブジェクトに対応する第２オブジェクトを識別する情報を取得する。第１オブジェクトに対応する第２オブジェクトを識別する情報は、例えば、サーバ記憶部４１に記憶されている。続いて、要求処理部４３５は、取得した第２オブジェクトを識別する情報を含む第２制御要求を生成し、取得した表示装置識別情報が識別する表示装置３に送信する。
【００７７】
要求処理部４３５は、制御端末２から受信した状態取得要求に応じて、受信した制御端末識別情報に関連付けて登録制御端末テーブルに記憶された表示装置識別情報によって識別される表示装置３が表示している第２画面の状態を表す状態情報を取得する。続いて、要求処理部４３５は、状態情報に応じて第１画面を更新するための更新用データを生成し、制御端末２に送信する。具体的には、要求処理部４３５は、制御端末２から状態取得要求を受信すると、状態送信要求を表示装置３に送信する。続いて、要求処理部４３５は、状態取得要求に応じて表示装置３から送信された状態情報を受信することで、状態情報を取得する。
【００７８】
状態情報は、上述したように、第２画面が複数のページから構成されている場合において、表示装置３に表示されている第２画面のページを識別する情報を含んでよい。状態情報が第２画面のページを識別する情報を含む場合、要求処理部４３５は、表示されている第２画面のページに対応する第１画面のページを識別する情報を含む更新用データを制御端末２に送信する。第２画面のページに対応する第１画面のページとは、例えば、第１画面が第２画面と同数のページから構成されている場合において、ページ番号が一致するページである。
【００７９】
図８（ａ）は、第２画面の一例を示す図である。図８（ａ）は、第２画面第１ページ８１０が表示装置３の表示部３０７に表示されていることを表す。また、第２画面第１ページ８１０は、第２オブジェクト８１１を含む。図８（ｂ）は、第１画面の一例を示す図である。図８（ｂ）は、第１画面第１ページ８２０が制御端末２の端末表示部２４に表示されていることを表す。また、第１画面第１ページ８２０は、第２オブジェクト８１１に対応する第１オブジェクト８２１を含む。なお、第１画面第１ページ８２０は、第２画面第１ページ８１０に対応する第１画面のページである。
【００８０】
図８（ｃ）は、第２画面の他の一例を表す図である。図８（ｃ）は、第２画面第２ページ８３０が表示部３０７に表示されていることを表す。第２画面第２ページ８３０は、例えば、表示部３０７が第２画面第１ページ８１０を表示している状態において、表示制御部３０５がページ変更信号を操作装置から受信することで表示されるページである。また、第２画面第２ページ８３０は、第１ページの第２オブジェクト８１１とは異なる第２オブジェクト８３１を含む。図８（ｄ）は、第１画面の他の一例を表す図である。図８（ｄ）は、第１画面第２ページ８４０が端末表示部２４に表示されていることを表す。また、第１画面第２ページ８４０は、第２オブジェクト８３１に対応する第１オブジェクト８４１を含む。なお、第１画面第２ページ８４０は、第２画面第２ページ８３０に対応する第１画面のページである。
【００８１】
表示部３０７に第２画面第１ページ８１０が表示され、端末表示部２４に第１画面第１ページ８２０が表示されている状態において、表示制御部３０５がページ変更信号を受信した場合、表示部３０７は第２画面第２ページ８３０を表示する。この状態において、制御端末２がサーバ４に状態取得要求を送信した場合、サーバ４は、表示装置３が第２画面第２ページ８３０を表示していることを示す状態情報を取得する。そして、サーバ４は、第２画面第２ページ８３０に対応する第１画面のページである第１画面第２ページ８４０を識別する情報を含む更新用データを生成し、制御端末２に送信する。更新用データを受信した制御端末２は、更新用データが識別する第１画面第２ページ８４０を端末表示部２４に表示する。なお、第１画面のページと第２画面のページとの対応関係は、例えば、あらかじめサーバ記憶部４１に記憶されている。
【００８２】
図９は、制御システム１における制御処理の動作シーケンスの一例を表すシーケンス図である。まず、表示装置３の表示制御部３０５は、操作装置から識別用画像表示信号を受信する（Ｓ９０１）。識別用画像表示信号を受信したことに応じて、表示制御部３０５は、サーバ４に表示装置３を識別する表示装置識別情報を送信するとともに、識別用画像送信要求を送信する。サーバ４の取得部４３１は、表示装置識別情報を取得する。また、識別用画像生成部４３２は、識別用画像送信要求を表示装置３から受信したことに応じて、取得した表示装置識別情報を含む識別用画像を表示するための識別用画像データを生成し、表示装置３に送信する（Ｓ９０２）。表示制御部３０５は、受信した識別用画像データに基づいて識別用画像を表示する（Ｓ９０３）。
【００８３】
続いて、制御端末２の抽出部２６１は、表示装置３に表示された識別用画像に基づいて表示装置識別情報を抽出する（Ｓ９０４）。要求生成部２６２は、抽出した表示装置識別情報を含む登録要求を生成する。要求送信部２６３は、生成された登録要求と制御端末２を識別する制御端末識別情報とをサーバ４に送信する（Ｓ９０５）。サーバ４の登録部４３３は、登録要求を受信した時刻に基づいて有効期限を決定し、登録要求に含まれる表示装置識別情報と受信した制御端末識別情報と決定した有効期限とを関連付けて記憶部に記憶する（Ｓ９０６）。
【００８４】
続いて、画面データ送信部４３４は、制御端末２において第１画面を表示するための第１画面データを制御端末２に送信する（Ｓ９０７）。制御端末２の端末表示部２４は、受信した第１画面データに基づいて第１画面を表示する。端末操作部２２は、ユーザによる第１画面に含まれる第１オブジェクトを指定する操作を受付ける（Ｓ９０８）。要求生成部２６２は、指定された第１オブジェクトを識別する情報を含む第１制御要求を生成し、要求送信部２６３は、生成された第１制御要求と制御端末２を識別する制御端末識別情報とをサーバ４に送信する（Ｓ９０９）。
【００８５】
サーバ４の要求処理部４３５は、制御端末２から第１制御要求と制御端末識別情報とを受信し、第１制御要求を受信した時刻が受信した制御端末識別情報に関連付けて記憶された有効期限を経過しているか否かを判定する。そして、要求処理部４３５は、有効期限を経過していない場合に限り、受信した制御端末識別情報に関連付けて記憶された表示装置識別情報によって識別される表示装置３に、第１制御要求によって識別される第１オブジェクトに対応する第２オブジェクトを識別する情報を含む第２制御要求を送信する（Ｓ９１０）。表示制御部３０５は、受信した第２制御要求によって識別される第２オブジェクトに応じた制御を実行し（Ｓ９１１）、一連の処理を終了する。
【００８６】
図１０は、制御システム１における状態取得処理の動作シーケンスの一例を示すシーケンス図である。図１０においては、前提として、表示装置３の表示部３０７には第２画面第１ページが表示されており、制御端末２の端末表示部２４には第１画面第１ページが表示されている。まず、表示装置３の表示制御部３０５は、操作装置からページ変更信号を受信する（Ｓ１００１）。そして、表示部３０７は、表示制御部３０５がページ変更信号を受信したことに応じて、第２画面第２ページを表示する。続いて、制御端末２の要求生成部２６２は、状態取得要求を生成し（Ｓ１００２）、要求送信部２６３は、生成した状態取得要求と制御端末識別情報とをサーバ４に送信する。
【００８７】
サーバ４の要求処理部４３５は、状態取得要求を受信すると、受信した制御端末識別情報に関連付けて記憶された表示装置識別情報が識別する表示装置３に対して、状態送信要求を送信する（Ｓ１００３）。そして、要求処理部４３５は、表示装置３から送信される、第２画面第２ページを識別する情報を含む状態情報を受信することによって、状態情報を取得する（Ｓ１００４）。続いて、要求処理部４３５は、取得した状態情報が識別する第２画面第２ページに対応する第１画面第２ページを識別する情報を含む更新用データを生成し（Ｓ１００５）、制御端末２に送信する。更新用データを受信した表示更新部２６４は、更新用データが識別する第１画面第２ページを表示する表示データを生成し、端末表示部２４に送出することによって第１画面を更新する（Ｓ１００６）。以上で、一連の処理は終了する。
【００８８】
以上で説明したように、制御システム１は、制御端末２と表示装置３とサーバ４とを備え、制御端末２は、第１オブジェクトが所定の構成で配置された第１画面を表示するための第１画面データをサーバ４から受信する端末通信部２３と、第１画面を表示する端末表示部２４と、ユーザによる第１オブジェクトを指定する操作を受付ける端末操作部２２と、指定された第１オブジェクトを識別する情報を含む第１制御要求を生成する要求生成部２６２と、第１制御要求と制御端末２を識別する制御端末識別情報とをサーバ４に送信する要求送信部２６３と、を備え、表示装置３は、第１オブジェクトに対応する第２オブジェクトが所定の構成で配置された第２画面を表示するための第２画面データと、第２オブジェクトを識別する情報を含む第２制御要求とをサーバ４から受信する通信部３０８と、第２画面を表示する表示部３０７と、第２制御要求によって識別される第２オブジェクトに応じた制御を実行する表示制御部３０５と、を備え、サーバ４は、制御端末識別情報と表示装置を識別する表示装置識別情報とを関連付けて記憶するサーバ記憶部４１と、第１画面データを制御端末２に送信し、第２画面データを表示装置３に送信する画面データ送信部４３４と、制御端末２から第１制御要求と制御端末識別情報とを受信し、受信した制御端末識別情報に関連付けて記憶された表示装置識別情報によって識別される表示装置３に、第１制御要求によって識別される第１オブジェクトに対応する第２オブジェクトを識別する情報を含む第２制御要求を送信する要求処理部４３５と、を備える。このような構成を備えることにより、制御システム１は、ユーザにとって直感的且つ簡易な操作が可能な制御端末によって表示装置を制御することを可能とする。
【００８９】
［変形例１］
また、画面データ送信部４３４は、制御端末に応じて異なる第１画面データを送信してもよい。
【００９０】
具体的には、サーバ記憶部４１は、データとして第１画面テーブルを記憶する。画面データ送信部４３４は、登録部４３３が制御端末識別情報を登録制御端末テーブルに記憶したことに応じて、記憶された制御端末識別情報に関連付けて記憶された第１画面データを制御端末２に送信する。なお、画面データ送信部４３４は、制御端末識別情報が第１画面テーブルに記憶されていない場合、未登録の制御端末２に送信するための所定の第１画面データを制御端末２に送信してもよい。
【００９１】
図１１は、第１画面テーブルのデータ構造の一例を示す図である。第１画面テーブルには、制御端末識別情報及び第１画面データを表すファイル名等が関連付けて記憶されている。図１１においては、制御端末識別情報「ＳＰ０００１」には、第１画面データ「第１画面０１．ｈｔｍｌ」が関連付けて記憶され、「ＳＰ０００２」及び「ＳＰ０００３」には、「第１画面０２．ｈｔｍｌ」が関連付けて記憶されている。
【００９２】
図１２（ａ）は、第２画面の一例を示す図である。図１２（ａ）においては、第２画面１２１０は、第２オブジェクト１２１１〜１２１４を含む。図１２（ｂ）は、制御端末識別情報と関連付けて記憶された第１画面の一例を示す図である。図１２（ｂ）に示される第１画面１２２０は、例えば、図１１における「第１画面０１．ｈｔｍｌ」に対応する第１画面である。図１２（ｂ）においては、第１画面１２２０は、第２オブジェクト１２１１〜１２１４に対応する第１オブジェクト１２２１〜１２２４を含む。
【００９３】
図１２（ｃ）は、他の制御端末識別情報と関連付けて記憶された第１画面の一例を示す図である。図１２（ｃ）に示される第１画面１２３０は、例えば、図１１における「第１画面０２．ｈｔｍｌ」に対応する第１画面である。図１２（ｃ）においては、第１画面１２３０は、第２オブジェクト１２１１に対応する第１オブジェクト１２３１及び第２オブジェクト１２１３に対応する第１オブジェクト１２３３を含む。一方、第１画面１２３０は、第２オブジェクト１２１２及び第２オブジェクト１２１４に対応する第１オブジェクトを含まない。
【００９４】
即ち、図１１において「第１画面０１．ｈｔｍｌ」に関連付けて記憶された制御端末識別情報「ＳＰ０００１」によって識別される制御端末２のユーザは、第２オブジェクト１２１１〜１２１４に応じた制御を表示装置３に実行させることができる。これに対し、「第１画面０２．ｈｔｍｌ」に関連付けて記憶された制御端末識別情報「ＳＰ０００２」又は「ＳＰ０００３」によって識別される制御端末２のユーザは、第２オブジェクト１２１１及び１２１３に応じた制御のみを表示装置３に実行させることができる。即ち、制御端末識別情報「ＳＰ０００２」又は「ＳＰ０００３」によって識別される制御端末２のユーザは、第２オブジェクト１２１２及び１２１４に応じた制御を表示装置３に実行させることはできない。
【００９５】
このように、制御システム１において、画面データ送信部４３４は、制御端末２に応じて異なる第１画面データを送信してもよい。これにより、制御システム１は、複数のユーザが単一の表示装置を制御する場合であっても、ユーザが表示装置３に実行させることのできる制御の種類を制限し、各ユーザの用途又は属性に対応した表示装置３のユーザインタフェースを提供することを可能とする。
【００９６】
［変形例２］
また、端末操作部２２は、ユーザによる第１画面を更新する操作を受付け、これに応じて表示装置３に表示される第２画面の状態が更新されてもよい。
【００９７】
具体的には、端末操作部２２は、ユーザによる第１画面を更新する操作を受付ける。第１画面を更新する操作とは、例えば、第１画面が複数のページから構成されている場合において、端末表示部２４に表示されている第１画面のページを変更する操作である。
【００９８】
なお、この例では、第１画面と第２画面とは、それぞれ同数の複数のページから構成されている。また、第１画面及び第２画面のそれぞれのページは、第１オブジェクト及び第２オブジェクトを含まない。また、第１画面及び第２画面のそれぞれのページは、ページごとに異なる背景画像を備える。このような構成を備えることにより、第１画面及び第２画面を所謂サイネージ画面として機能させることができる。なお、第１画面及び第２画面をサイネージ画面として機能させる場合は、第１画面のページと、対応する第２画面のページとは同一の背景画像を備えることが好ましい。
【００９９】
図１３は、第１画面を更新する処理の概略を説明するための模式図である。なお、図１３において、第１画面の第１ページ１３１０は、第１背景画像１３１１を含み、第２ページ１３２０は、第２背景画像１３２１を含む。図１３（１）に示されるように、タッチパネルである端末操作部２２は、ユーザが端末操作部２２に触れる操作を受付ける。続いて、図１３（２）に示されるように、タッチパネルである端末操作部２２は、ユーザが端末操作部２２に触れ、端末操作部２２上を左側に滑らせる操作を受付ける。続いて、図１３（３）に示されるように、端末操作部２２は、ユーザが端末操作部２２の左端まで継続して左側に滑らせる操作を受付ける。このようにして、端末操作部２２は、ユーザによる第１画面を更新する操作を受付ける。
【０１００】
表示更新部２６４は、端末操作部２２が操作を受付けたことに応じて、第１画面を更新する。具体的には、図１３（２）に示されるように、端末操作部２２は、ユーザの端末操作部２２上を左側に滑らせる操作を受付ける。表示更新部２６４は、端末操作部２２が操作を受付けたことに応じて、第１ページ１３１０の右端が左側に移動するとともに、端末表示部２４の右端から第２ページ１３２０が左側に移動しながら現れるような画像データを生成し、端末表示部２４に表示させる。続いて、図１３（３）に示されるように、端末操作部２２は、ユーザの端末表示部２４の左端まで継続して左側に滑らせる操作を受付ける。表示更新部２６４は、端末操作部２２が操作を受付けたことに応じて、第２ページ１３２０の左端が端末表示部２４の左端まで到達し、第２ページ１３２０の全体が表示されるような画像データを生成し、端末表示部２４に表示させる。
【０１０１】
また、要求生成部２６２は、端末操作部２２が操作を受付けたことに応じて、状態更新要求を生成する。要求送信部２６３は、生成された状態更新要求と制御端末２を識別する制御端末識別情報とをサーバ４に送信する。状態更新要求は、更新後に端末表示部に表示されている第１画面のページを識別する情報を含む。
【０１０２】
サーバ４の要求処理部４３５は、受信した状態更新要求に応じた更新用データを、受信した制御端末識別情報に関連付けて記憶された表示装置識別情報によって識別される表示装置３に送信する。状態更新要求に応じた更新用データとは、例えば、状態更新要求が識別する第１画面のページに対応する第２画面のページを識別する情報を含む更新用データである。
【０１０３】
表示制御部３０５は、更新用データを受信し、受信した更新用データに基づいて第２画面を更新する。具体的には、表示制御部３０５は、通信部３０８を介して更新用データを受信し、更新用データに含まれる第２画面の第２ページを表示するための図形画像データ及び文字データを生成し、画像重畳部３０６に送出する。画像重畳部３０６は、表示制御部３０５から受け取った図形画像データ及び文字データ等を含む画像データを作成し、作成した画像データを表示部３０７に送出する。表示部３０７は、画像重畳部３０６から受け取った画像データを表示出力することで、第２画面の第２ページを表示する。
【０１０４】
図１４は、第２画面を更新する処理の概略を説明するための模式図である。図１４（１）に示されるように、表示部３０７には、第２画面の第１ページ１４１０が表示されている。第１ページ１４１０は、第１背景画像１４１１を含む。表示制御部３０５は、第２画面の第２ページを識別する情報を含む更新用データをサーバ４から受信すると、第２ページを表示するための図形画像データ及び文字データを生成し、第２画面を更新する。なお、表示制御部３０５は、図１４（２）に示されるように、第１ページ１４１０の右端が左側に移動するとともに、表示部３０７の右端から第２ページ１４２０の左端が左側に移動するように表示されるための図形画像データ及び文字データを生成してもよい。そして、図１４（３）に示されるように、表示部３０７は、第２ページ１４２０の左端が表示部３０７の左端に到達し、第２ページ１４２０の全体が表示されるような画像を表示する。なお、第２ページ１４２０は、第２背景画像１４２１を含む。
【０１０５】
このように、制御システム１において、端末操作部２２は、ユーザによる第１画面を更新する操作を受付け、これに応じて表示装置３に表示される第２画面の状態が更新されてもよい。これにより、制御システム１は、ユーザが制御端末２を介して表示装置３に表示された第２画面を更新する制御を可能とすることで、表示装置３のサイネージ装置としての利用を実現する。
【０１０６】
［変形例３］
表示装置３に表示される第２画面には、ユーザによって制御端末２に入力されたテキスト情報が含まれてもよい。例えば、表示装置３に含まれる第２画面は、テキスト情報表示領域を含み、制御端末２に含まれる第１画面は、テキスト情報入力領域を含む。テキスト情報入力領域は、ユーザがテキストを入力するためのオブジェクトであり、例えば、テキストボックスである。ユーザが端末操作部２２を操作することによりテキスト情報入力領域にテキスト情報が入力された場合、入力されたテキスト情報は制御端末識別情報ととともにサーバ４に送信される。
【０１０７】
サーバ４の要求処理部４３５は、制御端末２からテキスト情報及び制御端末識別情報を受信すると、テキスト情報を受信した時刻が、受信した制御端末識別情報に関連付けて記憶された有効期限を経過しているか否かを判定する。要求処理部４３５は、テキスト情報を受信した時刻が有効期限を経過していないと判定した場合、受信したテキスト情報及び制御端末識別情報を、受信した制御端末識別情報に関連付けて記憶された表示装置識別情報に関連付けてサーバ記憶部４１に記憶する。
【０１０８】
サーバ４の要求処理部４３５は、受信した制御端末識別情報に関連付けて記憶された表示装置識別情報によって識別される表示装置３に、受信した制御端末識別情報に関連付けて記憶されたテキスト情報を含む第２画面に係る更新用データを送信する。表示装置３は、サーバ４から受信した更新用データに基づいて、テキスト情報が表示されたテキスト情報表示領域を含む第２画面を表示する。
【０１０９】
これにより、ユーザは、所望のテキスト情報を表示装置３に表示させることができ、表示装置３を、表示装置３を使用する複数のユーザの連絡手段として用いることが可能となる。
【０１１０】
第２画面には、複数のユーザのそれぞれに対応する複数のテキスト情報表示領域が含まれてもよい。以下、表示装置識別情報に関連付けて記憶されたテキスト情報が、ユーザＡの制御端末２Ａの制御端末識別情報に関連付けられたテキスト情報と、ユーザＢの制御端末２Ｂの制御端末識別情報に関連付けられたテキスト情報である場合を例に説明する。
【０１１１】
表示装置識別情報によって識別される表示装置３の第２画面には、ユーザＡに対応するテキスト情報表示領域Ａと、ユーザＢに対応するテキスト情報表示領域Ｂが表示される。テキスト情報表示領域Ａには、制御端末２Ａの制御端末識別情報及び表示装置識別情報に関連付けられたテキスト情報が表示される。テキスト情報表示領域Ｂには、制御端末２Ｂの制御端末識別情報及び表示装置識別情報に関連付けられたテキスト情報が表示される。
【０１１２】
この場合において、ユーザＣが制御端末２Ｃの端末操作部２２を操作することにより、制御端末２Ｃのテキスト情報入力領域にテキスト情報が入力された場合、入力されたテキスト情報は制御端末２Ｃの制御端末識別情報ととともにサーバ４に送信される。
【０１１３】
サーバ４の要求処理部４３５は、制御端末２Ｃからテキスト情報及び制御端末識別情報を受信すると、テキスト情報を受信した時刻が、受信した制御端末２Ｃの制御端末識別情報に関連付けて記憶された有効期限を経過しているか否かを判定する。要求処理部４３５は、テキスト情報を受信した時刻が有効期限を経過していないと判定した場合、受信したテキスト情報及び制御端末識別情報を、受信した制御端末識別情報に関連付けて記憶された表示装置識別情報に関連付けてサーバ記憶部４１に記憶する。
【０１１４】
サーバ４の要求処理部４３５は、受信した制御端末識別情報に関連付けて記憶された表示装置識別情報によって識別される表示装置３に、制御端末２Ｃの制御端末識別情報に関連付けて記憶されたテキスト情報を更に含む第２画面に係る更新用データを送信する。表示装置３は、サーバ４から受信した更新用データに基づいて、ユーザＡ，Ｂ及びＣのそれぞれによって入力されたテキスト情報が表示されたテキスト情報表示領域を含む第２画面を表示する。
【０１１５】
これにより、複数のユーザのそれぞれは、所望のテキスト情報を表示装置３に表示させることができ、表示装置３を、表示装置３を使用する複数のユーザの連絡手段として用いることが可能となる。
【０１１６】
［第２の実施形態］
図１５は、本発明の第２の実施形態に係る制御システム１’の概略構成の一例を示す図である。なお、第１の実施形態と同一の構成については、同一の符号を付し、適宜説明を省略する。制御システム１’は、制御端末２と、表示装置３と、サーバ４と、送信装置５’とを備える。制御端末２と表示装置３とサーバ４とは、ネットワーク６を介して通信可能に接続され、種々のデータを相互に送受信する。また、表示装置３は送信装置５’から送信された放送信号を受信する。
【０１１７】
図１６は、送信装置５’の概略構成の一例を示す図である。送信装置５’は、ユーザが放送番組を選択するための案内用画像データを含む放送信号を送信する。そのために、送信装置５’は、信号生成部５０１と、混合分配部５０２と、第１ＳＴＢ（Set-Top Box）５０３と、第２ＳＴＢ５０４と、第１画面分割部５０５と、第２画面分割部５０６と、送出制御部５０７と、入力切替部５０８と、データ放送送出部５０９と、多重化部５１０と、変調部５１１と、送信部５１２とを備える。
【０１１８】
信号生成部５０１は、複数の放送局から提供される複数の放送番組のそれぞれに対応する放送データを取得し、取得した放送データに基づいてＯＦＤＭ信号を生成する。信号生成部５０１は、生成したＯＦＤＭ信号を混合分配部５０２に送出する。
【０１１９】
混合分配部５０２は、信号生成部５０１から受け取ったＯＦＤＭ信号を第１ＳＴＢ５０３と第２ＳＴＢ５０４とに送出し、後述する変調部５１１から受け取ったＯＦＤＭ信号を送信部５１２に送出する。
【０１２０】
送信装置５’は、複数の放送番組に対応する放送データのうち、第１グループに属する放送データのそれぞれに対応する複数の第１ＳＴＢ５０３を備える。第１ＳＴＢ５０３は、混合分配部５０２から受け取ったＯＦＤＭ信号のうち、第１グループに属する放送データに対応するＯＦＤＭ信号を復調することにより放送画像データを生成し、生成した放送画像データを第１画面分割部５０５に送出する。
【０１２１】
また、送信装置５’は、複数の放送番組に対応する放送データのうち、第２グループに属する放送データのそれぞれに対応する複数の第２ＳＴＢ５０４を備える。第２ＳＴＢ５０４は、混合分配部５０２から受け取ったＯＦＤＭ信号のうち、第２グループに属する放送データに対応するＯＦＤＭ信号を復調することにより放送画像データを生成し、生成した放送画像データを第２画面分割部５０６に送出する。
【０１２２】
第１画面分割部５０５は、例えば、画面分割ユニットであり、第１ＳＴＢ５０３から受け取った複数の放送画像データのそれぞれを、同一画面上に所定の様式で配列された複数の領域のうち予め定められた領域に表示する第１案内用画像データを生成する。
【０１２３】
第２画面分割部５０６は、例えば、画面分割ユニットであり、第２ＳＴＢ５０４から受け取った複数の放送画像データのそれぞれを、同一画面上に所定の様式で配列された複数の領域のうち予め定められた領域に表示する第２案内用画像データを生成する。
【０１２４】
送出制御部５０７は、例えば、制御サーバである。送出制御部５０７は、入力切替部５０８に、第１案内用画像データ及び第２案内用画像データの何れか一方を多重化部５１０に送出させるための指示情報を生成する。送出制御部５０７は、所定の時間間隔が経過するたびに、生成した指示情報を入力切替部５０８に送出する。また、送出制御部５０７は、所定の時間間隔ごとに、入力切替部５０８が多重化部５１０に送出している案内用画像データが第１案内用画像データ及び第２案内用画像データの何れであるかを示す画像識別情報をデータ放送送出部５０９に送出する。
【０１２５】
入力切替部５０８は、例えば、入力切替装置である。入力切替部５０８は、送出制御部５０７から受け取った指示情報に応じて、第１画面分割部５０５から受け取った第１案内用画像データと第２画面分割部５０６から受け取った第２案内用画像データとの何れか一方を多重化部５１０に送出する。入力切替部５０８は、第１案内用画像データを多重化部５１０に送出しているときに送出制御部５０７から指示情報を受け取ると、第１案内用画像データの送出を中止し、第２案内用画像データの送出を開始する。また、入力切替部５０８は、第２案内用画像データを多重化部５１０に送出しているときに送出制御部５０７から指示情報を受け取ると、第２案内用画像データの送出を中止し、第１案内用画像データの送出を開始する。このように、入力切替部５０８は、第１案内用画像データと第２案内用画像データが所定の時間間隔で切り替わる案内用画像データを多重化部５１０に送出する。
【０１２６】
データ放送送出部５０９は、第１案内用画像データ及び第２案内用画像データのそれぞれに含まれる複数の放送画像データに対応する放送識別情報を生成する。例えば、データ放送送出部５０９は、送信装置５’を所有する放送事業者によって入力された放送番組情報に基づいて、放送識別情報を生成する。また、データ放送送出部５０９は、混合分配部５０２から、第１ＳＴＢ５０３と第２ＳＴＢ５０４とに送出した放送画像データの放送識別情報を取得してもよい。なお、放送識別情報のそれぞれには、表示される領域の表示位置が対応付けられている。
【０１２７】
また、データ放送送出部５０９は、送出制御部５０７から受け取った画像識別情報に基づいて、所定の時間間隔ごとに、画像識別情報を示すイベントメッセージを生成する。そして、データ放送送出部５０９は、生成した各種情報を放送情報データとして多重化部５１０に送出する。
【０１２８】
多重化部５１０は、入力切替部５０８から案内用画像データを受け取り、データ放送送出部から放送情報データを受け取ると、案内用画像データ及び放送情報データを多重化してＴＳ信号を生成する。多重化部５１０は、生成したＴＳ信号を変調部５１１に送出する。なお、ＴＳ信号で示される案内用画像データが第１案内用画像データである時間では、放送情報データに第１案内用画像データを表す画像識別情報を示すイベントメッセージが含まれる。また、ＴＳ信号で示される番組案内用画像データが第２案内用画像データである時間では、放送情報データに第２案内用画像データを表す画像識別情報を示すイベントメッセージが含まれる。
【０１２９】
変調部５１１は、多重化部５１０からＴＳ信号を受け取ると、受け取ったＴＳ信号に基づいてＯＦＤＭ信号を生成する。そして、変調部５１１は、生成したＯＦＤＭ信号を、混合分配部５０２を介して送信部５１２に送出する。
【０１３０】
送信部５１２は、受け取ったＯＦＤＭ信号を、放送信号として表示装置３に送信する。これにより、送信装置５’によって生成された案内用画像データ及び放送情報データを含む放送データが、送信装置５’から表示装置３に送信される。
【０１３１】
図１７（ａ）は、第１案内用画像の一例を示す図である。第１案内用画像１７１０は、画面上に配列された複数の領域１７１１を含む。また、領域１７１１のそれぞれには、第１グループに属する放送画像データである、ＣＨ（チャンネル）−０１〜２０に対応する放送画像データ１７１２が表示されている。
【０１３２】
図１７（ｂ）は、第２案内用画像の一例を示す図である。第２案内用画像１７２０は、画面上に配列された複数の領域１７２１を含む。また、領域１７２１のそれぞれには、第２グループに属する放送画像データである、ＣＨ−２１〜ＣＨ−４０に対応する放送画像データ１７２２が表示されている。
【０１３３】
図１８（ａ）は、第２画面の一例を示す図である。第２画面１８１０は、第２オブジェクトとして、案内用画像における領域と同じ様式で配列された複数の領域指定オブジェクト１８１１を含む。領域指定オブジェクト１８１１は、後述するように、第１案内用画像又は第２案内用画像において対応する領域で表示されている放送画像データに対応する放送番組を表示部３０７に表示させる制御に対応付けられたオブジェクトである。
【０１３４】
例えば、図１８の「領域１」の領域指定オブジェクトは、第１案内用画像において対応する領域で表示されている「ＣＨ−０１」に対応する放送画像データを表示させる制御に対応付けられている。又は、「領域１」の領域指定オブジェクトは、第２案内用画像において対応する領域で表示されている「ＣＨ−２１」に対応する放送画像データを表示させる制御に対応付けられている。表示制御部３０５が「領域１」の領域指定オブジェクトを識別する第２制御要求を受信した場合、「ＣＨ−０１」に対応する放送画像データを表示させる制御と「ＣＨ−２１」に対応する放送画像データを表示させる制御との何れを実行するかについては後述する。なお、第２画面１８１０及び領域指定オブジェクト１８１１は、いずれも案内用画像に重畳して表示され、案内用画像が透過するように構成される。
【０１３５】
図１８（ｂ）は、端末表示部２４に表示される第１画面の一例を示す図である。第１画面１８２０は、第２画面と同じ様式で配列された複数の第１オブジェクト１８２１を含む。第１オブジェクト１８２１は、それぞれ同じ位置に配列された領域指定オブジェクト１８１１と対応している。
【０１３６】
端末表示部２４に第１画面１８２０が表示されている状態において、端末操作部２２は、ユーザによる第１オブジェクト１８２１を指定する操作を受付ける。要求生成部２６２は、指定された第１オブジェクト１８２１を識別する情報と、端末操作部２２が操作を受付けた時刻を表す操作時刻を含む第１制御要求を生成する。要求送信部２６３は、第１制御要求と制御端末識別情報とをサーバ４に送信する。
【０１３７】
要求処理部４３５は、第１制御要求と制御端末識別情報とを受信する。また、要求処理部４３５は、受信した制御端末識別情報に関連付けて記憶された表示装置識別情報によって識別される表示装置３に、第１制御要求によって識別される第１オブジェクト１８２１に対応する領域指定オブジェクト１８１１を識別する情報と操作時刻とを含む第２制御要求を送信する。
【０１３８】
通信部３０８は、領域指定オブジェクト１８１１を識別する情報と操作時刻とを含む第２制御要求を受信する。表示制御部３０５は、案内用画像テーブルを参照し、操作時刻に応じて、第１案内用画像データにおいて領域指定オブジェクトに対応する領域で表示されている放送画像データ又は第２案内用画像データにおいて領域指定オブジェクトに対応する領域で表示されている画像データを表示部３０７に表示させる。
【０１３９】
図１９は、案内用画像テーブルのデータ構造の一例を示す図である。案内用画像テーブルには、領域指定オブジェクト識別子と、時間と、放送画像データ識別子が関連付けて記憶されている。領域指定オブジェクト識別子は、第２画面に含まれる領域指定オブジェクトのそれぞれを識別可能な識別子が含まれる。放送画像データ識別子には、関連付けられている領域指定オブジェクトに対応する領域において、関連付けて記憶されている時間に表示されていた放送画像データを識別する識別子（例えば、チャンネル番号）が記憶されている。
【０１４０】
なお、案内用画像テーブルは、放送受信部３０１が受信した放送信号に含まれる放送番組識別情報と画像識別情報とに基づいて、表示制御部３０５によって生成される。また、領域指定テーブルは、通信部３０８を介してサーバ４から取得されてもよい。
【０１４１】
表示制御部３０５は、領域テーブルを参照し、第２制御要求が識別する領域指定オブジェクトと第２制御要求に含まれる操作時刻に関連付けて記憶されている放送画像データ識別子を特定する。続いて、表示制御部３０５は、特定した放送画像データ識別子に対応する放送データを表示部３０７に表示させるよう、放送受信部３０１を制御する。
【０１４２】
このように、制御システム１’において、制御端末２はユーザによる複数の領域指定オブジェクトの何れかを指定する操作を受付け、表示装置３は、案内用画像において指定された領域指定オブジェクトに対応する位置に表示されている放送データを表示する。これにより、ユーザは、制御端末２を用いて案内用画像データの位置に基づいて放送データを選択することが可能となり、直感的な操作により表示装置３を制御できる。
【０１４３】
［変形例４］
上述した実施形態では、表示制御部３０５が操作時刻に応じて異なる制御を実行したが、これに代えて、要求処理部４３５が操作時刻に応じて異なる第２制御要求を送信してもよい。そのために、サーバ記憶部４１は、オブジェクト対応テーブルをデータとして記憶する。
【０１４４】
図２０は、オブジェクト対応テーブルのデータ構造の一例を示す図である。オブジェクト対応テーブルにおいては、第１オブジェクトと、操作時刻と、放送画像識別オブジェクトとが関連付けて記憶されている。第１オブジェクトは、図１８（ｂ）で示されるように、第１画面に含まれる複数の領域のそれぞれに対応するオブジェクトを表す識別子である。操作時刻は、端末操作部２２がユーザによる第１オブジェクトを指定する操作を受付けた時刻である。放送画像識別オブジェクトは、第２画面に含まれる第２オブジェクトの一例であり、複数の放送画像データのそれぞれに対応するオブジェクトを表す識別子である。
【０１４５】
なお、オブジェクト対応テーブルは、例えば、サーバ通信部４２を介して送信装置５の送出制御部５０７から受信され、サーバ記憶部４１に記憶される。
【０１４６】
要求処理部４３５は、第１オブジェクトを識別する情報と操作時刻とを含む第１制御要求を制御端末２から受信する。また、要求処理部４３５は、受信した第１制御要求に含まれる第１オブジェクトと操作時刻とに関連付けて記憶された放送画像識別オブジェクトを特定し、特定した放送識別オブジェクトを識別する情報を含む第２制御要求を表示装置３に送信する。
【０１４７】
図２１は、第２画面の一例を示す図である。第２画面は、第１グループに属する放送データに対応する放送識別オブジェクト２１１０と、第２グループに属する放送データに対応する放送識別オブジェクト２１２０とを含む。即ち、第２画面は、第１グループに属する放送データ及び第２グループに属する放送データのそれぞれに対応する放送画像識別オブジェクトを含む。
【０１４８】
表示制御部３０５は、通信部３０８を介して第２制御要求を受信し、受信した第２制御要求が識別する放送画像識別オブジェクトに対応する放送データを表示部３０７に表示させるよう、放送受信部３０１を制御する。
【０１４９】
このように、制御システム１において、要求処理部４３５が操作時刻に応じて異なる第２制御要求を送信してもよい。これにより、制御システム１は、複数の案内用画像が所定時間ごとに切り替えて表示される場合であっても、ユーザが制御端末２を操作した時刻において表示されていた放送番組を表示装置３に表示させることを可能とし、直感的な操作による番組選択を実現する。
【０１５０】
当業者は、本発明の精神及び範囲から外れることなく、様々な変更、置換、及び修正をこれに加えることが可能であることを理解されたい。
【符号の説明】
【０１５１】
１    制御システム
２    制御端末
２１    端末記憶部
２２    端末操作部
２３    端末通信部
２４    端末表示部
２５    端末撮影部
２６１    抽出部
２６２    要求生成部
２６３    要求送信部
２６４    表示更新部
３    表示装置
３０１    放送受信部
３０２    多重分離部
３０３    デコーダ部
３０４    音声出力部
３０５    表示制御部
３０６    画像重畳部
３０７    表示部
３０８    通信部
３０９    記憶部
４    サーバ
４１    サーバ記憶部
４２    サーバ通信部
４３１    取得部
４３２    識別用画像生成部
４３３    登録部
４３４    画面データ送信部
４３５    要求処理部
５    送信装置
【図１】
2020014134.tif 000003
【図２】
2020014134.tif 000004
【図３】
2020014134.tif 000005
【図４】
2020014134.tif 000006
【図５】
2020014134.tif 000007
【図６】
2020014134.tif 000008
【図７】
2020014134.tif 000009
【図８】
2020014134.tif 000010
【図９】
2020014134.tif 000011
【図１０】
2020014134.tif 000012
【図１１】
2020014134.tif 000013
【図１２】
2020014134.tif 000014
【図１３】
2020014134.tif 000015
【図１４】
2020014134.tif 000016
【図１５】
2020014134.tif 000017
【図１６】
2020014134.tif 000018
【図１７】
2020014134.tif 000019
【図１８】
2020014134.tif 000020
【図１９】
2020014134.tif 000021
【図２０】
2020014134.tif 000022
【図２１】
2020014134.tif 000023